(57)【特許請求の範囲】
【請求項１】
カッター刃を収容するカートリッジと、該カートリッジを収納するとともに、前記カッター刃をガイドするガイド部材と、該ガイド部材を固定するボディ部材と、前記ガイド部材に移動可能に設けられて前記カッター刃を出し入れするスライダー部材を有するカッターナイフであって、
前記カートリッジは、前記ガイド部材に引き出し可能に内挿されているとともに、複数枚の前記カッター刃を収容できる凹部が形成されており、該凹部には刃上げスプリングにより上方に付勢され、前記カッター刃を載置する可動台が上下動可能に取り付けられており、
前記スライダー部材には、前記カートリッジに収容された前記カッター刃のスライダー係合孔に係合して前記カッター刃を出し入れするためのカッター刃係合突起が設けられており、
前記ガイド部材と前記カートリッジに、前記カートリッジが前記ガイド部材から引き出されて前記カッター刃を前記カートリッジの前記凹部に収容することができる位置で前記カートリッジが前記ガイド部材から引き抜かれることを防止するためのストッパー機構が設けられていることを特徴とするカッターナイフ。
【発明の詳細な説明】
【０００１】
【発明の属する技術分野】
本発明は、ステップ的にカッター刃の位置規制がされるカッターナイフ、特に、カッター刃の装填が容易にできるカッターナイフに関するものである。
【０００２】
【従来の技術】
オートロック型のカッターナイフは、カッター刃の出入が確実であり、また、使用時にカッター刃を簡単にロックできるので、使いやすいという利点がある。このようなカッターナイフにおいて、替え刃を内装したものがある。実公昭５７−５１０１０号公報、実公昭５２−４６４０号公報、特公昭５０−８８４０号公報に見られるカートリッジ式カッタナイフでは、複数枚の替え刃を内蔵できるように構成されている。
【０００３】
図８は、従来の替え刃を収納するカートリッジの一例の説明図である。図中、１２はカートリッジ、１２ａは替え刃挿入口、１３はカッター刃である。替え刃交換時には、カートリッジ１２をカッター本体より一旦完全に引き出し、カッター刃１３を替え刃として、カートリッジ１２の先端部の替え刃挿入口１２ａから複数枚を差し込む。このようにして、カートリッジ１２にカッター刃１３を装着した後、カートリッジ１２をカッター本体に装着するが、カッター刃１３を単にカートリッジ１２に緩く挿入する構造では、カッター刃１３がカートリッジ１２から外れるという不安定要素が大きい。カッター刃１３の脱落を防止するため、カッター刃１３をカートリッジにある程度しっかりと装着するような構造にカートリッジ１２を構成すると、カートリッジ１２にカッター刃１３を装着し難いという問題がある。
【０００４】
【発明が解決しようとする課題】
本発明は、上述した事情に問題点を解決するためになされたもので、カッター刃の装填が容易なカッターナイフを提供することを目的とするものである。
【０００５】
【課題を解決するための手段】
本発明は、カッター刃を収容するカートリッジと、該カートリッジを収納するとともに、前記カッター刃をガイドするガイド部材と、該ガイド部材を固定するボディ部材と、前記ガイド部材に移動可能に設けられて前記カッター刃を出し入れするスライダー部材を有するカッターナイフであって、前記カートリッジは、前記ガイド部材に引き出し可能に内挿されているとともに、複数枚の前記カッター刃を収容できる凹部が形成されており、該凹部には刃上げスプリングにより上方に付勢され、前記カッター刃を載置する可動台が上下動可能に取り付けられており、前記スライダー部材には、前記カートリッジに収容された前記カッター刃のスライダー係合孔に係合して前記カッター刃を出し入れするためのカッター刃係合突起が設けられており、前記ガイド部材と前記カートリッジに、前記カートリッジが前記ガイド部材から引き出されて前記カッター刃を前記カートリッジの前記凹部に収容することができる位置で前記カートリッジが前記ガイド部材から引き抜かれることを防止するためのストッパー機構が設けられていることを特徴とするものである。
【０００６】
【発明の実施の形態】
図１〜図６は、本発明のカッターナイフの第１の実施の形態を説明するためのもので、図１は全体構成を示す斜視図、図２はカートリッジを引き出してカッター刃を収容する状態の斜視図、図３はカートリッジとスライダー部材の分解斜視図、図４はカッター本体部の分解斜視図、図５は各部を裏側からみた斜視図で、図５（Ａ）はガイド部材とカートリッジを分離した状態の斜視図、図５（Ｂ）はガイド部材にカートリッジを挿入してカートリッジを引き出した状態の斜視図、図５（Ｃ）はガイド部材にカートリッジを挿入した状態の斜視図、図６はカートリッジの背面図と断面図である。図中、１はボディ部材、１ａは刃上げスプリング固定溝、１ｂはビス孔、１ｃは凸部、２はガイド部材、２ａは係止部、２ｂはカートリッジ係合孔、２ｃ，２ｄはカッター刃規制部、２ｅはスプリング孔、２ｆはビス孔、２ｇは止め具、２ｈは窓孔、３はカートリッジ、３ａは把持部、３ｂはフック部、３ｃは凹部、３ｄは窓孔、３ｅはスプリング孔、３ｆはスライド溝、３ｇはスライド溝先端部、３ｈは非溝部、４はスライダー部材、５はカッター刃、５ａはスライダー係合孔、６は可動台、６ａは係合突起、７は刃上げスプリング、８はスライダー本体部材、８ａはカッター刃係合突起、９は操作部材、１０はスライダースプリング、１１はビスである。
【０００７】
図１により概要を説明する。ボディ部材１の外形は、図ではほぼ角柱状であるが、カッターの使用にあたって、把持する部分であり、適宜の形状、例えば、握りやすい形状など、使いやすさとデザイン等を考慮して適宜の形状に設計されるのがよく、合成樹脂で作成されるのがよい。ガイド部材２は、カートリッジ３を収納するとともに、カッター刃をガイドするものであり、金属板を折り曲げて形成されるが、合成樹脂で作成されてもよい。スライダー部材４は、カッター刃５の出し入れをするためのものであり、図では基本的な構成を示しており、操作しやすいノブ状の形状など、操作しやすい形状とするのがよい。
【０００８】
カートリッジ３は、ガイド部材２に内挿され、引き出し可能に構成されている。図２はカートリッジ３を引き出した状態であり、この状態で把持部３ａを押してガイド部材２に押し込むと図１の状態となる。押し込んだとき、フック部３ｂの突出部がガイド部材２のカートリッジ係合孔２ｂ（図４）に係合して、カートリッジ３をガイド部材２から抜けにくくしている。把持部３ａに力を加えて引き出せば、カートリッジ３をガイド部材２から引き出すことができる。カートリッジ３を引き出した図２の状態では、カッター刃５を収納できる。カートリッジ３にカッター刃５の複数枚を収容できる凹部３ｃ（図３）が形成されており、凹部３ｃにはカッター刃５を載置できる可動台６が上下動可能にカートリッジ３に取り付けられられている。可動台６は、カートリッジ３がガイド部材２に押し込まれた状態、つまり、使用状態において、刃上げスプリング７で上方に付勢される。ガイド部材２の上面の内側に向かい合う側縁の一方には多数の凹部よりなる係合部２ａが形成されており、スライダー部材４のスライダースプリング１０の先端を係止させて、カッター刃の位置規制を行なう。
【０００９】
図３は、カートリッジ３とスライダー部材４の分解図である。図３は、カートリッジ３の凹部３ｃと可動台６との関係がよく分かる図である。すなわち、凹部３ｃの側縁に窓孔３ｄが４箇所に設けられている。一方、可動台６の側縁に係合突起６ａが突出されている。凹部３ｃの上方から、可動台６を押し込むようにして、可動台６を凹部３ｃに取り付ける。カートリッジ３および可動台６の一方または双方の材料として合成樹脂、例えば、ポリエチレンを用い、弾性変形を利用して、可動台６を凹部３ｃに押し込むことができる。凹部３ｃの底部に設けられたスプリング孔３ｅは、刃上げスプリングを通すためのスリット状の孔である。
【００１０】
スライダー部材４は、スライダー本体部材８に操作部材９が前後方向に移動可能に取り付けられ、その間にスライダースプリング１０が設けられており、ガイド部材２の上面の内側に向かい合った側縁をガイドとして前後に移動可能である。スライダー本体部材８の前方に延びる舌状の部分には、下方に突出するカッター刃係合突起８ａが形成されており、カッター刃５のスライダー係合孔５ａに係合して、スライダー部材４の前後方向の移動により、カッター刃５を出し入れする。操作部材９の内側には４個の係合爪が形成されており、この係合爪がスライダー本体部材８の両側部に形成された４個の係合孔に係合して、スライダー本体部材８に操作部材９が取り付けられる。係合孔を前後方向に長く形成して、スライダー本体部材８に対して、操作部材９の前後方向の移動が可能となっており、操作部材９には、カム部分が形成されており、スライダー本体部材８に対して前方または後方への移動により、スライダースプリング１０を後退させて、ガイド部材２の係止部２ａへの係止を解除させてスライダー部材４をガイド部材２に対して移動させることができる。
【００１１】
図４は、カッター本体部の分解図である。カッター本体部は、ボディ部材１とガイド部材２が主要な構成部品である。ボディ部材１の内面底部には、刃上げスプリング固定溝１ａとビス孔１ｂが設けられている。ガイド部材２には、上述した係止部２ａとカートリッジ係合孔２ｂが設けられているほかに、カッター刃規制部２ｃ，２ｄが形成されている。カッター刃規制部２ｃ，２ｄは、下方に膨出させた部分であり、カッター刃が通る隙間を規制して、カッター刃を押さえ込むようにしてがたつきを抑えるためのものである。
【００１２】
ボディ部材１に刃上げスプリング７を載置し、上からガイド部材２を載せ、ビス孔２ｆ（図５）とビス孔１ｂを一致させた状態でビス１１によりガイド部材２をボディ部材１に固定してカッター本体部を組み立てることができる。
【００１３】
図５は、カートリッジ３をガイド部材２に取り付ける方法の説明図である。図は、裏側からみた斜視図である。ガイド部材２の後端部近傍に、止め具２ｇが設けられて、カートリッジ３に形成されたスライド溝３ｆと非溝部２ｈの境界部分とによりストッパー機構が構成されている。止め具２ｇは、ガイド部材２の底面の一部を切り欠いて、内側に曲げて、ストッパーとなるようにしたものである。一方、カートリッジ３の底面には、止め具２ｇにスライドするスライド溝３ｆが形成されている。スライド溝３ｆは、カートリッジ３の先端部の非溝部２ｈの手前のスライド溝先端部３ｇまで形成されている。
【００１４】
図５（Ａ）に示す状態で、ガイド部材２の後端側からカートリッジ３の先端部を押し込む。このとき、カートリッジ３の前端のスライド溝が形成されていない非溝部２ｈは、止め具２ｇをその弾性に抗して押し上げて通過し、カートリッジ３をガイド部材２に取り付けることができる。図５（Ｃ）は、カートリッジ３をガイド部材２にセットした状態である。カートリッジ３をガイド部材２に対して引き出すと、図５（Ｂ）に示すように、止め具２ｇが、カートリッジ３のスライド溝３ｆと非溝部２ｈとの境界のスライド溝先端部３ｇの位置にある立ち上がり部分に係合して、それ以上カートリッジ３を引き出すことはできない。図５（Ｂ）の状態を見た図が図２であり、この状態で、カッター刃をカートリッジ３に収容することができる。
【００１５】
図６，図７は、本発明のカッターの第２の実施の形態におけるストッパー機構を説明するための断面図であり、図６は分解した状態の断面図、図７は組み立てた状態の断面図である。図中、図１〜図５と同様の部分には同じ符号を付して説明を省略する。１ｃは凸部、２ｈは窓孔である。
【００１６】
この実施の形態では、図５で説明した止め具２ｇに代えて、図６に示すように、ボディ部材１に凸部１ｃを形成した。ガイド部材２には、凸部１ｃに対応する位置に窓孔２ｈが設けられており、組み立てた状態では、図７の拡大図に示すように、凸部１ｃがガイド部材２の窓孔を通してその上まで突出し、スライド溝３ｆに係合する。したがって、止め具２ｇと同様に作用し、カートリッジ３がガイド部材２から引き抜かれることを防止できる。
【００１７】
なお、ストッパー機構をカートリッジ３の底面側に設けたが、カートリッジ３の側方側に設け、カートリッジ３を両側または片側から止めるようにしてもよい。
【００１８】
【発明の効果】
以上の説明から明らかなように、本発明によれば、カッター刃の装填に際して、従来のカッターナイフのように、カートリッジを引き抜く必要がなく、容易にカッター刃を装填できるという効果がある。
【図面の簡単な説明】
【図１】本発明のカッターナイフの第１の実施の形態の全体構成を示す斜視図である。
【図２】図１のカッターナイフのカートリッジを引き出してカッター刃を収容する状態の斜視図である。
【図３】図１のカッターナイフのカートリッジとスライダー部材の分解斜視図である。
【図４】図１のカッターナイフのカッター本体部の分解斜視図である。
【図５】図１のカッターナイフの各部を裏側からみた斜視図である。
【図６】本発明のカッターの第２の実施の形態におけるストッパー機構を説明するための分解した状態の断面図である。
【図７】図６のカッターナイフの組み立てた状態の断面図である。
【図８】従来の替え刃を収納するカートリッジの一例の説明図である。
【符号の説明】
１…ボディ部材、１ａ…刃上げスプリング固定溝、１ｂ…ビス孔、１ｃ…凸部、２…ガイド部材、２ａ…係止部、２ｂ…カートリッジ係合孔、２ｃ，２ｄ…カッター刃規制部、２ｅ…スプリング孔、２ｆ…ビス孔、２ｇ…止め具、２ｈ…窓孔、３…カートリッジ、３ａ…把持部、３ｂ…フック部、３ｃ…凹部、３ｄ…窓孔、３ｅ…スプリング孔、３ｆ…スライド溝、３ｇ…スライド溝先端部、３ｈ…非溝部、４…スライダー部材、５…カッター刃、５ａ…スライダー係合孔、６…可動台、６ａ…係合突起、７…刃上げスプリング、８…スライダー本体部材、８ａ…カッター刃係合突起、９…操作部材、１０…スライダースプリング、１１…ビス。
【図１】
0003812703.tif 000002
【図２】
0003812703.tif 000003
【図３】
0003812703.tif 000004
【図４】
0003812703.tif 000005
【図５】
0003812703.tif 000006
【図６】
0003812703.tif 000007
【図７】
0003812703.tif 000008
【図８】
0003812703.tif 000009